(57)【要約】      （修正有）【課題】吸引力の持続性を向上させることができる電気掃除機を提供する。【解決手段】塵挨収容部は集塵フィルタ７０を有し、集塵フィルタ７０における上流側捕集面となるプリーツフィルタ７１の上流面に、当該集塵フィルタ７０を構成する集塵フィルタ枠体７７に対し略垂直方向に突出する遮蔽物７３を設けることにより、遮蔽物７３の下側に塵埃を溜めることにより、開口面積を広く保つことができ、吸引力の持続性を向上させることができる。【選択図】図８
2015008854.tif 000002
【特許請求の範囲】
【請求項１】
電動送風機を備える掃除機本体と、該電動送風機の上流側に配置され、前記掃除機本体に着脱自在な塵埃収容部と、を有し、前記塵埃収容部は集塵フィルタを有する電気掃除機において、前記集塵フィルタにおける上流側捕集面に当該集塵フィルタを構成する集塵フィルタ枠体に対し略垂直方向に突出する遮蔽物を有することを特徴とする電気掃除機。
【請求項２】
請求項１記載の電気掃除機において、前記遮蔽物は前記集塵フィルタの全幅に亘って形成されていることを特徴とする電気掃除機。
【請求項３】
請求項１または２に記載の電気掃除機において、前記遮蔽物は前記集塵フィルタの上流側捕集面に前記集塵フィルタ枠体に対し垂直よりも下向きに傾斜して設けられたことを特徴とする電気掃除機。
【請求項４】
請求項１または２に記載の電気掃除機において、前記遮蔽物は前記集塵フィルタの上流側捕集面に前記集塵フィルタ枠体に対し垂直よりも上向きに傾斜して設けられたことを特徴とする電気掃除機。
【請求項５】
請求項１または２に記載の電気掃除機において、前記遮蔽物の断面形状は根元よりも先端が細くなるよう形成されていることを特徴とする電気掃除機。
【発明の詳細な説明】
【技術分野】
【０００１】
本発明は、電気掃除機に関するものである。
【背景技術】
【０００２】
サイクロン方式の電気掃除機は、塵埃を収容する着脱可能な塵埃収容部を備えている。また、集塵フィルタに塵埃が付着しにくいように集塵フィルタの上流側に塵埃付着防止リブを設けたものが知られている（特許文献１参照）。
【先行技術文献】
【特許文献】
【０００３】
【特許文献１】特開２０１０−２７３８１９号公報
【発明の概要】
【発明が解決しようとする課題】
【０００４】
しかしながら、特許文献１に記載の電気掃除機では、塵埃付着防止リブは集塵フィルタの捕集面に対し平行に設けられているため、除塵によって下方に落下させた塵埃が運転時に再付着してしまい、吸引力の持続性が低下してしまう恐れがある。
【０００５】
本発明は、前記従来の課題を解決するもので、吸引力の持続性低下を抑制した電気掃除機を提供することを目的とする。
【課題を解決するための手段】
【０００６】
前記従来の課題を解決するために、本発明の電気掃除機は、電動送風機を備える掃除機本体と、前記電動送風機の上流側に配置され、前記掃除機本体に着脱自在な塵埃収容部を有し、前記塵埃収容部は集塵フィルタを有する電気掃除機において、前記集塵フィルタにおける上流側捕集面に当該集塵フィルタを構成する集塵フィルタ枠体に対し略垂直方向に突出する遮蔽物を有することを特徴とする。
【発明の効果】
【０００７】
本発明によれば、吸引力の持続性低下を抑制した電気掃除機を提供することができるという効果がある。
【図面の簡単な説明】
【０００８】
【図１】本発明の一実施形態に係る電気掃除機の全体を示す外観斜視図である。
【図２】サイクロン集塵装置を示す正面図である。
【図３】サイクロン集塵装置を示す分解斜視図である。
【図４】塵埃収容部を示す平面図である。
【図５】蓋部を開放させたときの塵埃収容部を示す斜視図である。
【図６】サイクロン集塵装置を掃除機本体に装着したときの断面図である。
【図７】塵挨収容部の断面図である。
【図８】集塵フィルタを上流側から見た斜視図である。
【図９】図７のＡ−Ａ線断面図である。
【図１０】集塵フィルタを開放させたときの塵挨収容部の断面図である。
【図１１】塵挨収容部を下流側から見た斜視図である。
【発明を実施するための形態】
【０００９】
図１は、本発明の一実施形態に係る電気掃除機の全体を示す外観斜視図である。
【００１０】
電気掃除機１００は、掃除機本体１、吸引ホース２、手元ハンドル３、手元操作部４、延長管６、吸口体７、サイクロン集塵装置１０、掃除機本体１を自在に移動できる車輪１１などを備えている。
【００１１】
ここで、本発明の実施の形態を説明するにあたり、掃除機本体１から吸口体７の方向を前と定義し、前後左右を図の矢印のように示す。
【００１２】
掃除機本体１は、吸引ホース２を取り付けるホース取り付け口１２、吸引力を発生させる電動送風機８０などを備えている。なお、図示していないが、掃除機本体１の外郭をなす本体ケースの内側には、電力を供給するためのコードリールが設けられている。
【００１３】
手元操作部４に設けられた操作ボタン５のうちの電源ボタンが使用者によってＯＮされると、電動送風機８０が作動し、吸引力を発生する。吸口体７から吸込まれた空気および空気と共に吸込まれた塵埃は、延長管６、吸引ホース２、掃除機本体１の順に導かれる。
【００１４】
図２は、サイクロン集塵装置を示す正面図である。
【００１５】
サイクロン集塵装置１０は、塵埃分離部２０と、塵埃収容部３０と、を有し、後記する図３のように塵埃分離部２０と塵埃収容部３０とに分割できる形態である。塵埃収容部３０は、塵埃分離部２０よりも上部に位置している。
【００１６】
塵埃収容部３０は、集塵ケース４０と、この集塵ケース４０に開閉可能に取り付けられた蓋部５０と、手で把持する部分を有するハンドル６１と、蓋部５０を開放するための解除ボタン６２と、を有している。なお、図２では、サイクロン集塵装置１０を鉛直方向に起立させた状態で図示しているが、実際の使用状態では、図１に示すように、サイクロン集塵装置１０を下側が上側よりも掃除機本体１の前方に位置するように掃除機本体１に対して傾斜した状態で装着される。
【００１７】
図３は、サイクロン集塵装置を示す分解斜視図である。
【００１８】
サイクロン集塵装置１０の塵埃分離部２０は、略円筒形状を呈する外筒２１を有し、この外筒２１の軸方向の下面に、ホース取り付け口１２（図１参照）と接続される入口管２２が形成されている。
【００１９】
また、塵埃分離部２０の上面２０ａの略中央には、円形の開口２７が形成され、この開口２７の縁部には円筒形状で上方に向けて拡径するシール部材２７ｓが設けられている。
【００２０】
また、上面２０ａには、開口２７の前方に、幅広形状の連絡路２６が開口し、この連絡路２６の縁部には筒形状のシール部材２６ｓが設けられている。また、開口２７および連絡路２６は、入口管２２と連通している。
【００２１】
サイクロン集塵装置１０の塵埃収容部３０は、略筒形状を呈し、集塵ケース４０の前方に蓋部５０が設けられている。また、塵埃収容部３０は、集塵ケース４０および蓋部５０の上部に、ハンドル６１および解除ボタン６２を備えた上カバー６０を備えている。上カバー６０の周面は、集塵ケース４０の左側面４０ｃ（図２参照）、右側面４０ｄおよび蓋部５０外面に沿う扁平形状を呈し、かつ、前後にかけて前側が後側よりも低くなるように傾斜している。
【００２２】
図４は、塵埃収容部を示す平面図である。
【００２３】
塵埃収容部３０の上カバー６０には、平面視において略矩形状のハンドル６１が設けられるとともに、ハンドル６１の前方に解除ボタン６２が設けられている。ハンドル６１は、使用者の手（指）を掛ける前板部６１ａを有し、この前板部６１ａの前方近くに解除ボタン６２が設けられている。解除ボタン６２は、押下げ操作されることで、蓋部５０（図３参照）が開放する。
【００２４】
このように、ハンドル６１の前方近傍に蓋部５０のロックを解除する解除ボタン６２を設けることにより、ハンドル６１の前板部（持ち手部）６１ａに対して、後方から手の平を上にして指を挿入したとき、あるいは前方から手の甲を上にして指を掛けるように挿入したときのどちらであっても、解除ボタン６２を例えば親指で押すことができ、塵埃収容部３０の取り扱い性を向上できる。
【００２５】
図５は、蓋部を開放させたときの塵埃収容部を示す斜視図である。
【００２６】
集塵ケース４０は、前部に略矩形状を呈する開口部４０ｓが形成されている。なお、この開口部４０ｓによって形成される開口を含む面が開口面Ｍ１に相当する。ちなみに、集塵ケース４０を、集塵ケース４０の軸方向に平行な開口面Ｍ１としたのは、集塵ケース４０の軸方向に直交する方向で切断した開口面にすると、電気掃除機１００を小型化するにあたって塵埃収容部３０を小型化した場合、開口面の開口面積を大きく確保できないからである。
【００２７】
また、集塵ケース４０には、集塵かご４１と集塵フィルタ７０（図６参照）が内包されている。
【００２８】
集塵かご４１は、断面視（側面視）において略台形状を呈し、上下に分割された上容器（支骨）４１ａと下容器（支骨）４１ｂとが後部の蝶番４１ｃ（図６参照）を介して連結され、ゴミ捨て時には、上容器４１ａと下容器４１ｂが蝶番４１ｃ（図６参照）により上下方向に開きながら、下容器４１ｂの下端に設けられた軸４１ｄ（一方のみ図示）を中心として回動するようになっている。なお、軸４１ｄは、集塵ケース４０の左右側面４０ｃ，４０ｄ（図２参照）の内壁面に回動自在に支持されている。なお、集塵かご４１は、凹面が開口部４０ｓ側を向いていればよく、それ以外の形状が特に限定されるものではない。
【００２９】
また、集塵かご４１の前後方向の断面形状は、略四角形状であってもよいし、略円形状であってもよいし、略三角形状であってもよい。好ましくは、開口する側（前側）から底面側（後側）へ向けて断面が小さくなるように形成されているのがよい。このように形成することによって、塵埃が排出される側（開口側）に向けて断面積が拡がるため、使用者は、集塵かご４１内に堆積した塵埃を容易に排出することができる。
【００３０】
また、集塵かご４１は、枠体４１ｅ（支骨）を有しており、開口を除く底面、上下左右面に、金属やナイロン等からなるメッシュ部材４１ｆ（一部のみ図示）が被覆、貼着またはインサート成形などにより構成されている。このように、集塵かご４１の底面だけでなく、上下左右面にも通気性を持たせることによって、集塵かご４１の底面に塵埃が堆積しても流路を確保することができる。これにより、吸い込み空気の圧力損失を低減し、吸引力の低下を抑制することができる。
【００３１】
蓋部５０は、集塵ケース４０の前側の開口部４０ｓ（開口面Ｍ１）を開閉するものであり、蓋部５０内に、集塵かご４１に対して凹面が互いに対向するように形成された凹部５２が形成されている。なお、凹部５２の開口部５２ａの開口面積は、集塵かご４１の開口面積と略同じに形成されている。
【００３２】
凹部５２の傾斜面（底面）５２ａ１には、弾性材からなる扁平な逆止弁５３が設けられている。
【００３３】
また、蓋部５０の下部は、ヒンジ部５４を介して集塵ケース４０の下部と回動可能に連結されている。これにより、蓋部５０は、集塵ケース４０の開口面Ｍ１に対して開口面Ｍ１から離れる方向に下向きに回動するように構成されている。
【００３４】
図６は、サイクロン集塵装置を掃除機本体に装着したときの縦断面図である。
【００３５】
図６に示すように、サイクロン集塵装置１０は、掃除機本体１の前部に、上部が下部よりも後方に位置する後傾姿勢となるようにして装着される。サイクロン集塵装置１０は、その軸方向が鉛直方向に対して傾斜するように配置される。これにより、サイクロン集塵装置をその軸方向を鉛直方向にして構成した場合よりも、サイクロン集塵装置１０を含む掃除機本体１を小型化することが可能になる。また、サイクロン集塵装置１０の塵埃収容部３０は、背面側が掃除機本体１に支持され、底面側が塵埃分離部２０に支持されている。つまり、塵埃収容部３０を前方から側面の外周面にかけて支持するような部材は設けられていない。
【００３６】
集塵ケース４０は、上面４０ａ、底面４０ｂ、左側面４０ｃ（図２参照）および右側面４０ｄ（図３参照）を有する略四角筒状に形成され、前側（正面側）と後側（背面側）とがそれぞれ開口する開口部４０ｓ，４０ｆを有している。
【００３７】
集塵かご４１は、集塵ケース４０の底側の前部に設けられた支持部４２に回動自在に連結されている。支持部４２には、ねじりコイルばね４２ａ（図６参照）が設けられ、ねじりコイルばね４２ａ（図６参照）の付勢力によって集塵ケース４０の前方へ集塵かご４１が飛び出すように構成されている（図５参照）。このとき、集塵ケース４０から集塵かご４１が飛び出す勢いにより、集塵かご４１に捕集した塵埃を例えばごみ箱に排出することができる。
【００３８】
メッシュ部材４１ｆは、通気性があり、塵埃を捕集するフィルタ機能を有する。なお、塵埃を捕集するフィルタ機能を有するものであれば、メッシュ部材４１ｆの代わりに使い捨てのティッシュペーパでもよいし、メッシュ部材４１ｆとティッシュペーパとを組み合わせてもよい。メッシュ部材４１ｆの上にティッシュペーパを装着して使用することにより、集塵かご４１内のごみ捨て処理が容易になる。
【００３９】
図６に示すように、蓋部５０には、凹部５２と接続される連絡路５１が下方に延びて形成されている。連絡路５１は、下方の塵埃分離部２０側に向けて延び、底面５０ａに形成された開口５０ａ１に接続されている。この連絡路５１は、集塵ケース４０の開口部４０ｓ（開口面Ｍ１）に対して略平行に延びているが、蓋部５０に設けられた凹部５２によって、空気の流れを開口面Ｍ１の方向に転向させることができるようになっている。この凹部５２は、流れを整流するために設けられている。なお、凹部５２は、図示したような断面が台形となるような形状でもよいし、凹部５２の上部を断面視円弧状にしてより整流させることも可能である。つまり、凹部５２は、集塵かご４１の開口面Ｍ１に向かって拡大する断面形状である。
【００４０】
このように、集塵ケース４０の開口面Ｍ１が、連絡路５１の塵埃の導入方向（塵埃導入方向）と略平行になるように構成されている。
【００４１】
また、逆止弁５３は、凹部５２の連絡路５１が接続される面に設けられ、連絡路５１側から凹部５２側への流れのみを許容するようになっている。ちなみに、逆止弁５３は、凹部５２の連絡路５１と連通する面（下面）である傾斜面５２ａ１に取り付けられているが、このように凹部５２を断面台形状にすると、連絡路５１の出口を水平にした場合よりも出口の開口面積を大きくすることができ、逆止弁５３を凹部５２に固定する際の固定部を十分に確保できる。
【００４２】
また、逆止弁５３を固定する際の固定部は、集塵かご４１側に設けるとよい。これにより、電気掃除機１００（図１参照）の運転を終了したときに、砂などの重い細かな塵埃が、塵埃分離部２０に落下するのを防止できる。
【００４３】
また、蓋部５０の上面５０ｂには、後記するロック部材６６と係合する鉤状の被係合突起５６が形成されている。
【００４４】
なお、蓋部５０の正面は、透明な樹脂などで構成することで、蓋部５０を閉じたまま集塵かご４１に堆積する塵埃を確認できるようになっている。
【００４５】
なお、塵埃分離部２０は、略円筒形状を呈する外筒２１を有し、この外筒２１の軸方向の下面に、ホース取り付け口１２（図１参照）と接続される入口管２２が形成されている。
【００４６】
外筒２１内には、入口管２２と連通する導入部２３、塵埃収容部３０の集塵ケース４０と連通する内筒２４、導入部２３と内筒２４とを連通させて、ホース取り付け口１２から掃除機本体１内に流入した空気および空気とともに吸込まれた塵埃を旋回させる旋回路２５が設けられている。また、内筒２４には、複数の貫通孔２４ａが形成されている。また、外筒２１の外周側には、旋回路２５と蓋部５０（連絡路５１）とを連通させる連絡路２６が形成されている。
【００４７】
なお、内筒２４の貫通孔２４ａは、金属やナイロンやポリエステルなどで構成されたメッシュ部材が、被覆またはインサート成形などにより貼着されていてもよい。また、菌の繁殖を抑制できるように、抗菌作用のある金属（例えば、銀）や抗菌物質（例えば、銀）を含有するあるいは塗布された金属（例えば、ステンレス）で構成させてもよい。
【００４８】
導入部２３は、凹形状を呈し、入口管２２に対して凹面が向くように配置されている。
【００４９】
よって、入口管２２から導入された塵埃等を含む空気は、凹面の底面に衝突した後、凹面の側面に沿って流れ、旋回路２５に流れ込む。
【００５０】
内筒２４は、外筒２１の径方向の中央に形成され、導入部２３の背面側に位置している。また、内筒２４に形成された貫通孔２４ａからは軽い塵埃が通過する。また、内筒２４の下流端は、集塵ケース４０の底面４０ｂに形成された開口４０ｔと連通している。
【００５１】
旋回路２５は、導入部２３および内筒２４の外側に形成され、空気と塵埃とを遠心力により分離する機能を有している。
【００５２】
連絡路２６は、上流端が旋回路２５と連通し、下流端が蓋部５０に形成された連絡路５１と連通するように構成されている。なお、サイクロン集塵装置１０には、シール部材２６ｓ，５１ｓ，２７ｓが設けられ、気密性を確保するようになっている。すなわち、図６に示すように、シール部材２６ｓは、連絡路２６と開口５０ａ１との間の気密性を確保するためのシール部材（パッキン）であり、シール部材５１ｓは、連絡路５１と蓋部５０との間の気密性を確保するためのシール部材（パッキン）であり、シール部材２７ｓは、開口４０ｔの気密性を確保するためのシール部材（パッキン）である。また、シール部材２６ｓは、塵埃収容部３０内で気密性を確保するために設けられており、シール部材５１ｓ，２７ｓは、塵埃分離部２０と塵埃収容部３０との間での気密性を確保するために設けられている。
【００５３】
このように構成されたサイクロン集塵装置１０では、ホース取り付け口１２から掃除機本体１内に流入した空気および空気と共に吸込まれた塵埃が、入口管２２から導入部２３に導入されると、導入部２３内の正面の壁面に衝突して、旋回路２５に向けて導入され、旋回路２５を旋回する。この旋回による遠心分離作用で空気と塵埃を分離する。遠心分離作用により、外周側の空気には塵埃が多く含まれ、逆に内周側の空気には塵埃が少なくなる。
【００５４】
図６において実線太矢印で示すように、遠心分離後の塵埃を多く含んだ空気は、連絡路２６，５１を通り、蓋部５０の凹部５２の形状に沿って集塵かご４１の開口方向に向きを変え、集塵かご４１に塵埃が堆積する。集塵かご４１を通過した空気は、電動送風機８０内に吸引される。
【００５５】
また、図６において破線太矢印で示すように、塵埃分離部２０の遠心分離作用によって分離できず、内筒２４の貫通孔２４ａを通過した軽い塵埃は、開口２７，４０ｔを通って集塵ケース４０内に入り、集塵フィルタ７０によって捕集される。そして、集塵フィルタ７０を通過した空気は、電動送風機８０内に吸引される。このとき、集塵フィルタ７０の下流側には吸気ダクト８１との間に集塵フィルタ７０全面に亘る吸気空間１５を有する。これにより、電動送風機８０に連通する吸気ダクト８１の開口部正面が集塵フィルタ７０の上部にしかなくとも、集塵フィルタ７０の下部からも吸引力を発生できるようになるため、集塵フィルタ７０の面積を最大限活用できる。また、吸気空間１５はプリーツフィルタ７１の下流側において、集塵フィルタ７０の内部で構成されていても良い。
【００５６】
また、集塵ケース４０には、集塵フィルタ７０が、ヒンジ部７２（図５参照）を中心として開閉可能（回動可能）に設けられている。なお、集塵フィルタ７０は、集塵ケース４０の開口部４０ｆに装着された状態において、その後面が掃除機本体１の吸気ダクト８１に当接するようになっている。
【００５７】
なお、集塵フィルタ７０は、プリーツ状に折られたものであり、例えば、高密度のＨＥＰＡフィルタ（High Efficiency Particulate Air Filter）を用いることができる。ＨＥＰＡフィルタは、定格風量で粒径が０.３μｍの粒子に対して９９.９７％以上の粒子捕集率を有し、かつ初期圧力損失が２４５Ｐａ以下の性能を有している。
【００５８】
集塵フィルタ７０の山折りの折り線方向は、縦方向（重力作用方向）であることが好ましい。これは、集塵フィルタ７０よりも下流側（掃除機本体１側）に、集塵フィルタ７０に衝撃を与えて集塵フィルタ７０に堆積した塵埃を除去するための除塵機構が備えられている場合、折り方向が縦方向である方が集塵フィルタ７０に付着した細塵を下方に落下させて除去し易いからである。なお、山折りの折り線方向が斜めに配置されていても構わない。
【００５９】
また、集塵フィルタ７０のプリーツフィルタ７１下流側上部にはそれぞれのプリーツの頂点に被除塵部７６（図１１参照）が設けられており、除塵機構８２からの衝撃をプリーツフィルタ７１に伝える。
【００６０】
更に、プリーツフィルタ７１の上流面には側壁７４ａから側壁７４ｂに亘って前方に突出する遮蔽物７３（図６参照）が吸気ダクト８１の開口部下端と一致する高さの位置に設けられている。遮蔽物７３は塵埃分離部２０の遠心分離作用によって分離できず、内筒２４の貫通孔２４ａを通過した軽い塵埃が吸気ダクト８１の開口部へ吸い寄せられるのを遮蔽し、遮蔽物７３の下側に塵埃を溜める効果がある。これにより、電動送風機８０に連通する吸気ダクト８１の開口部正面に塵埃が付着するのを軽減する。吸引力の持続性は吸気ダクト８１の開口部正面の開口面積が塵埃の付着によって小さくなってしまうことで低下してしまうため、遮蔽物７３の下側に塵埃を溜めることにより、開口面積を広く保つことができ、吸引力の持続性を向上させることができる。よって、遮蔽物７３はより多くの塵埃を下側に溜められるよう、前方へ突出しているほど好ましいため、集塵かご４１に接するまでの最大限突出した高さになっている。（図７参照）
遮蔽物７３は集塵フィルタ枠体７７と一体に成形されているが、集塵フィルタ枠体７７とは別に成形され、組み合わせて構成されても良い。その場合の遮蔽物の縦断面形状は略四角形状であっても良いし、略円形状であっても良いし、略三角形状であっても良い。例えば、略円形状である場合、吸気ダクト８１の開口部正面に付着した塵挨が除塵機構８２に除塵されたとき、遮蔽物７３の上に堆積することなく下方に落下し易くなるという効果がある。また、略三角形状の場合も同様の効果を呈する。更に、材質は汎用樹脂（例えば、ＡＢＳ）であっても良いし、金属（例えば、ステンレス）であっても良いし、不織布などの通気性のあるものであっても良いが、通気性のない汎用樹脂などの方が確実に塵埃を遮蔽物の下側に溜めることができるため、より大きな効果を得ることができる。
【００６１】
また、内筒２４の貫通孔２４ａを通過した軽い塵埃は集塵フィルタ７０で捕集された後、吸気ダクト８１の開口へ向かって集塵フィルタ８１に沿うように上昇する。よって、内筒２４の貫通孔２４ａを通過した軽い塵埃を多く捕集するためには遮蔽物７３は集塵フィルタ７０の上部にあるほど好ましい。一方で、吸引力を持続させるためには吸気ダクト８１の開口部正面をできるだけ広い範囲綺麗な状態に保つことが好ましい。よって、遮蔽物７３が吸気ダクト８１の開口部正面に設けられていると、遮蔽物７３の下側に溜まった塵埃が開口面積を塞いでしまうため、遮蔽物７３は吸気ダクト８１の開口部下端と一致する高さの位置に形成されている。
【００６２】
図８は集塵フィルタ７０を上流側から見た斜視図である。
【００６３】
図８に示すように、遮蔽物７３はプリーツフィルタの側壁７４ａから側壁７４ｂまでの全幅に亘って一直線に形成されている。遮蔽物７３は全幅でなく一部であっても塵埃を遮蔽することができ、吸引力の持続性を向上させる効果があるが、全幅に亘って形成されている方が多くの塵埃を遮蔽することができるため、より大きな効果を発揮する。また、遮蔽物７３は一直線でなくとも、図８のＰの向きから見た場合に遮蔽物７３がプリーツフィルタの側壁７４ａから側壁７４ｂまでの全幅に亘って形成されていれば同様の効果を呈する。
【００６４】
図９は集塵フィルタ７０の縦断面図である。
【００６５】
遮蔽物７３は集塵フィルタ枠体７７に対し、略垂直方向に突出するよう形成されているが、いくらかの角度をもっていても良い。特に、遮蔽物７３を集塵フィルタ７０とは別部品として構成する場合、遮蔽物７３と集塵フィルタ７０の遮蔽物下側捕集面がなす角αが９０度よりも小さければ、除塵機構８２により除塵された塵埃が遮蔽物７３上に堆積することなく下方に落下し易くなり、また、内筒２４の貫通孔２４ａを通過した軽い塵埃とともに、遮蔽物７３の下側に溜めやすくなるため、吸引力をより持続させる効果がある。
【００６６】
一方で、αが９０度よりも大きければ、集塵フィルタ７０をお手入れする際に、図１０のように開放した時、遮蔽物７３の下側に溜まった塵埃を容易に排出することができる。
【００６７】
なお、フィルタの外周に枠体を有する小型の集塵フィルタを複数嵌め込む構成としても、枠体が遮蔽物の役目を果たすため上記のような効果を得ることは可能である。また、遮蔽物を金属などで別部品として構成する場合は遮蔽物の加工が必要となるが、この構成である場合は加工を施す必要がないという利点がある。しかし、遮蔽物を設けた場合の方が気密面や部品点数が少なくなるため、気密性、組立性、お手入れ性の点で優位である。
【００６８】
また、図１１に示すように、集塵フィルタ７０の下流側にはプリーツフィルタ７１の強度を保つ補強リブ７５が全幅に亘って設けられている。これにより、運転時に集塵フィルタに大きな圧力が掛かった場合でも、プリーツフィルタ７１がよれることなく形状を維持することができる。
【００６９】
以上説明したように、本実施形態の電気掃除機１００では、塵挨収容部３０が集塵フィルタ７０を備え、集塵フィルタ７０の上流側捕集面には集塵フィルタ枠体７７から略垂直方向に突出する遮蔽物７３が設けられている。これによれば、塵埃分離部２０の遠心分離作用によって分離できず、内筒２４の貫通孔２４ａを通過した軽い塵埃を遮蔽物７３の下側に溜めることができ、電動送風機８０に連通する吸気ダクト８１の開口部正面に塵埃が付着するのを軽減し、吸引力の持続性を向上させることができる。
【００７０】
また、本実施形態によれば、塵挨収容部３０の下流側に、集塵フィルタ７０に衝撃を与えて集塵フィルタ７０に堆積した塵埃を除去するための除塵機構８２が備えられている場合、除塵機構８２により除塵され、下方に落下した塵埃が吸気ダクト８１の開口部正面に再付着するのを防ぐことができる。
【符号の説明】
【００７１】
１      掃除機本体
１ａ    係合孔
１０    サイクロン集塵装置
２０    塵埃分離部
２６    連絡路
３０    塵埃収容部
４０    集塵ケース
４１    集塵かご
５０    蓋部
５１    連絡路
５２    凹部
５３    逆止弁
６０    上カバー
６１    ハンドル
６２    解除ボタン
６４    係合突起
７０    集塵フィルタ
７１    プリーツフィルタ
７３    遮蔽物
７４ａ  側壁
７４ｂ  側壁
７５    補強リブ
７６    被除塵部
７７    集塵フィルタ枠体
８０    電動送風機
８１    吸気ダクト
８２    除塵機構
１００  電気掃除機
Ｍ１    開口面
【図１】
2015008854.tif 000003
【図２】
2015008854.tif 000004
【図３】
2015008854.tif 000005
【図４】
2015008854.tif 000006
【図５】
2015008854.tif 000007
【図６】
2015008854.tif 000008
【図７】
2015008854.tif 000009
【図８】
2015008854.tif 000010
【図９】
2015008854.tif 000011
【図１０】
2015008854.tif 000012
【図１１】
2015008854.tif 000013